(57)【要約】【課題】ムーブしたコンテンツを持ち出し、モバイル機器などで遠隔地にて利用している場合、家族などが家庭で元コンテンツの利用を希望しても、持ち出したコンテンツをムーブバックするまで利用することができなかった。また同じ記録媒体や記録手段同士で複数回コンテンツのムーブを行なう場合も、その都度、リムーバブルな記録媒体の着脱やコンテンツの移動が必要で、ユーザの利便性を損なっていた。【解決手段】通信手段を有する車載装置で移動先記録媒体を使用し、コンテンツを再度移動先記録媒体より移動元記録媒体に戻す際に、移動元記録媒体のＩＤと、コンテンツのＩＤとを前記通信手段を用いて移動元記録媒体に通知し、移動元記録媒体に利用不可状態で保持された該コンテンツを利用可能とする。またその際に移動先記録媒体のコンテンツを利用不可状態で保存する。【選択図】図１
2009015682.tif 000002
【特許請求の範囲】
【請求項１】
脱着可能な記録媒体を介してコンテンツを移動することが可能なコンテンツ入出力手段と、上記コンテンツの移動する時に、上記コンテンツに関する情報であるコンテンツ情報を記録及び管理するコンテンツ管理手段と、上記コンテンツ情報を利用可能及び利用不可能の状態で保持することが可能な記録手段と、情報端末装置の各手段を制御し、上記記録手段に保持されたコンテンツを上記記録媒体に移動し、上記記録媒体に移動した当該コンテンツを上記記録手段にて利用不可コンテンツとして保持し、少なくとも上記当該コンテンツのＩＤと上記記録媒体のＩＤとを上記コンテンツ管理手段にコンテンツライセンス情報として保持する制御手段とを有する上記情報端末装置において、
外部ネットワークと接続可能な通信手段を有し、
上記制御手段は、上記通信手段が受信した上記コンテンツライセンス情報から、上記コンテンツ管理手段に保持された利用不可コンテンツの上記コンテンツライセンス情報と一致するコンテンツを判別し、上記記録手段に保持された利用不可コンテンツを利用可能とすることを特徴とする情報端末装置。
【請求項２】
脱着可能な記録媒体を介してコンテンツを移動することが可能なコンテンツ入出力手段と、上記コンテンツの移動する時に、上記コンテンツに関する情報であるコンテンツ情報を記録及び管理するコンテンツ管理手段と、上記コンテンツ情報を利用可能及び利用不可能の状態で保持することが可能な記録手段と、情報端末装置の各手段を制御し、上記記録手段に保持されたコンテンツを上記記録媒体に移動し、上記記録媒体に移動した当該コンテンツを上記記録手段にて利用不可コンテンツとして保持し、少なくとも上記当該コンテンツのＩＤと上記記録媒体のＩＤとを上記コンテンツ管理手段にコンテンツライセンス情報として保持する制御手段とを有する上記情報端末装置において、
上記情報端末装置の電源を管理する電源管理手段を有し、
上記制御手段は、上記電源管理手段が判定する電源切断処理の開始を契機に、上記記録手段に保持されたコンテンツを上記記録媒体に移動し、上記記録手段の当該コンテンツを利用不可コンテンツとして保持し、上記コンテンツライセンス情報を上記コンテンツ管理手段に保持し、上記電源管理手段が判定する電源入力処理の開始を契機に上記記録媒体に保持された当該コンテンツを上記記録手段に移動し、上記記録媒体に当該コンテンツを利用不可コンテンツとして保持し、当該コンテンツのＩＤと上記コンテンツ管理手段にて保持された当該コンテンツのコンテンツライセンス情報と一致する場合は、上記記録媒体に保持された利用不可コンテンツを利用可能とし、一致しなかった場合は当該コンテンツを上記記録媒体にコピーすることを特徴とする情報端末装置。
【請求項３】
脱着可能な記録媒体を介してコンテンツを移動することが可能なコンテンツ入出力手段を有する情報端末装置において、
上記コンテンツの移動時に、上記コンテンツに関する情報を記録し管理するコンテンツ管理手段と、
無線通信によって外部ネットワークと接続可能な通信手段と、
上記情報端末装置を制御し、上記記録媒体のＩＤと上記コンテンツＩＤから成るコンテンツライセンス情報を、上記記録媒体に保持された当該コンテンツと対応付けられた記通信手段を介して送信し、上記コンテンツを利用不可コンテンツとして上記記録媒体に保持し、上記コンテンツ管理手段にて当該利用不可コンテンツに関するコンテンツライセンス情報を保持し、当該コンテンツ管理手段に保持された利用不可コンテンツのコンテンツＩＤと対応付けられ上記記録媒体に保持された移動元情報端末装置に対して、上記通信手段を介してコンテンツライセンス情報を請求し、上記移動元情報端末装置より当該コンテンツライセンス情報を受信した場合は、上記記録手段に保持された当該コンテンツを利用可能とする制御手段とを有することを特徴とする情報端末装置。
【請求項４】
請求項３記載の情報端末装置において、更に、
上記情報端末装置の電源を管理する電源管理手段を有し、
上記制御手段は、上記情報端末装置を制御し、上記電源管理手段が判定する電源切断処理の開始を契機に、上記コンテンツライセンス情報を、上記記録媒体に保持された当該コンテンツと対応付けられた記通信手段を介して送信し、上記コンテンツを利用不可コンテンツとして上記記録媒体に保持し、上記コンテンツ管理手段にて当該利用不可コンテンツに関するコンテンツライセンス情報を保持し、上記電源管理手段が判定する電源入力処理の開始を契機に、上記コンテンツ管理手段に保持された利用不可コンテンツのコンテンツＩＤと対応付けられ上記記録媒体に保持された移動元情報端末装置に対して、上記通信手段を介してコンテンツライセンス情報を請求し、上記移動元情報端末装置より請求したコンテンツライセンス情報を受信した場合は、上記記録手段に保持された当該コンテンツを利用可能とすることを特徴とする情報端末装置。
【請求項５】
脱着可能な記録媒体を介してコンテンツを移動することが可能なコンテンツ入出力手段を有する車載装置において、
上記コンテンツの移動時に、上記コンテンツに関する情報を記録し管理するコンテンツ管理手段と、
無線通信によって外部ネットワークと接続可能な通信手段と、
移動体の電源状況と自車位置情報を取得する車両情報取得手段と、
上記車載装置を制御し、上記車両情報取得手段が上記移動体の発動機と連動して電力供給される電源線からの電力供給停止と、上記自車位置情報に基づいて上記移動体が予め定められた特定の地点にあることの判定とを契機に、上記記録媒体のＩＤと上記コンテンツＩＤから成るコンテンツライセンス情報を、上記記録媒体に保持された当該コンテンツと対応付けられた移動元情報端末装置に上記通信手段を介して送信し、上記コンテンツを利用不可コンテンツとして上記記録媒体に保持し、上記コンテンツ管理手段にて当該利用不可コンテンツに関するコンテンツライセンス情報を保持し、上記車両情報取得手段が上記電源線からの電力供給開始と上記移動体が上記特定の地点にあることを判定したことを契機に、上記コンテンツ管理手段に保持された利用不可コンテンツのコンテンツＩＤに対応付けられた移動元情報端末装置に対して、上記通信手段を介してコンテンツライセンス情報を請求し、上記移動元情報端末装置より請求したコンテンツライセンス情報を受信した場合は、上記記録手段に保持された当該コンテンツを利用可能とすることを特徴とする車載装置。
【発明の詳細な説明】
【技術分野】
【０００１】
本発明はデジタルデータによるコンテンツを記録再生する情報端末システムに係り、特に、車載装置等、遠隔地にコピーして持ち出すデジタルコンテンツの管理に関する。
【背景技術】
【０００２】
近年、映像や音声などのデジタルデータの利用が普及し、携帯電話などのモバイル端末での利用も進んでいる。このようなデジタルデータは著作権者の利益が侵害されないようにコピー制御の仕組みがとられている。特に、映像や音楽の電子ファイル（以下、コンテンツと総称する）は、著作権保護の観点からコピー回数を制限する機能が採用されている。
【０００３】
この機能の特徴は、各コンテンツにコピーコントロール情報を付加するものである。このコピーコントロール情報の種類として、例えば、（１）コピー無制限の場合は「コピーフリー」、（２）一度だけコピー可能な場合は「コピーワンス」、（３）コピー不可の場合は「コピーネバー」、と呼ぶ付加情報がある。
【０００４】
（１）コピー無制限のコンテンツ、即ち、付加情報が「コピーフリー」の場合には、著作権についての制約がないものであると考えられ、特に本発明には関係がない。
【０００５】
（２）一度だけコピー可能なコンテンツ、即ち、付加情報として「コピーワンス」が付けられているコンテンツには、例えば、地上波デジタル放送のコンテンツがある。地上波デジタル放送では、コピーコントロール情報として、「コピーワンス（コピー１回まで）」の付加情報をつけたコンテンツを放送する。この放送されたコンテンツ（放送番組）は、一度だけコピー可能である。そして、例えば、ハードディスク内蔵ＤＶＤ（ Digital Versatile Disc ）レコーダやハードディスクレコーダ等の記録再生装置に内蔵されたハードディスク（ＨＤＤ）に記録すると、記録されたコンテンツには、「コピーネバー」即ち、コピー不可の付加情報が付けられている。
【０００６】
（３）コピー不可のコンテンツ、即ち、「コピーネバー」の付加情報が付いているコンテンツは、複製が禁止されている。このため、別の記録媒体（記憶媒体）にコピーする操作を行うと、移動元のコンテンツ（以下、元コンテンツと称する）が削除される。即ち、コピー不可のコンテンツをコピーした場合には、移動元のコンテンツを削除する「ムーブ」と呼ばれる方法でコンテンツがコピー先の記録媒体（記憶媒体）に移動する。
【０００７】
従来、大容量の記録媒体（例えば、ハードディスクレコーダ内蔵のＨＤＤ、等）から、小容量の記録媒体（例えば、メモリカード、等）へ移動（ムーブ）する場合には、デジタルデータの再エンコード処理が行われている。再エンコード処理は、一般的に、デジタルデータ（特に、画質及び音質）の劣化を伴う。
【０００８】
一度ハードディスクレコーダからメモリカードへムーブしたコンテンツは画質及び音質が劣化している。劣化したデータから、エンコード処理前の高画質若しくは高音質だった元コンテンツは既に削除されており、いったん失われた高画質及び高音質のデータを復元できない。
【０００９】
従って、いったん劣化したデジタルデータを再度ムーブし、メモリカードからハードディスクレコーダへコンテンツを戻した（ムーブバックした）場合には、劣化したコンテンツしか利用することができなかった。
【００１０】
この問題を解決するために、ムーブ時に、元コンテンツを削除せず、利用不可の状態で保存しておき、ムーブバック（再ムーブ）時には保存しておいた元コンテンツを利用可能とするコンテンツのコピー管理方法が提案されている（特許文献１参照。）。
【００１１】
【特許文献１】特開２００６−１０７１６５号公報
【発明の開示】
【発明が解決しようとする課題】
【００１２】
上述の特許文献１の技術では、元コンテンツを再生するためには記録媒体を移動元の情報端末装置に接続し、コンテンツの再ムーブを行うムーブバック処理が必要であった。そのため、ムーブしたコンテンツが記録された記録媒体を持ち出し、モバイル機器などで遠隔地にて利用していた場合には、持ち出した記録媒体が戻ってくるまでは再ムーブできなかった。
【００１３】
従って、家族などが家庭で元コンテンツの利用を希望しても、持ち出したコンテンツが記録された記録媒体が手元に戻ってきて、移動元の情報端末装置に記録媒体を接続してムーブバックするまで利用することができなかった。
【００１４】
また、ムーブ、ムーブバック、若しくは再ムーブのように複数回出し入れを行う場合も、その度に記録媒体を出し入れする必要がありユーザの利便性を損なっていた。
【００１５】
本発明の目的は、上記のような問題を解決し、コンテンツの利用に関するユーザ利便性を向上させることである。
【課題を解決するための手段】
【００１６】
上記の目的を達成するため、本発明では、脱着可能な記録媒体を介してコンテンツを移動することが可能なコンテンツ入出力手段と、上記コンテンツの移動する時に、上記コンテンツに関する情報であるコンテンツ情報を記録及び管理するコンテンツ管理手段と、上記コンテンツ情報を利用可能及び利用不可能の状態で保持することが可能な記録手段と、情報端末装置の各手段を制御し、上記記録手段に保持されたコンテンツを上記記録媒体に移動し、上記記録媒体に移動した当該コンテンツを上記記録手段にて利用不可コンテンツとして保持し、少なくとも上記当該コンテンツのＩＤと上記記録媒体のＩＤとを上記コンテンツ管理手段にコンテンツライセンス情報として保持する制御手段とを有する上記情報端末装置において、無線通信によって外部ネットワークと接続可能な通信手段を有し、前記制御手段は前記通信手段が受信した、少なくとも前記記録媒体ＩＤと、前記コンテンツＩＤから成るコンテンツライセンス情報から、前記コンテンツ管理手段に保持された利用不可コンテンツのコンテンツライセンス情報と一致するコンテンツを判別し、前記記録手段に保持された該コンテンツを利用可能とする。
【００１７】
即ち、本発明の情報端末装置は、脱着可能な記録媒体を介してコンテンツを移動することが可能なコンテンツ入出力手段と、コンテンツの移動する時に、コンテンツに関する情報であるコンテンツ情報を記録及び管理するコンテンツ管理手段と、コンテンツ情報を利用可能及び利用不可能の状態で保持することが可能な記録手段と、情報端末装置の各手段を制御し、記録手段に保持されたコンテンツを記録媒体に移動し、記録媒体に移動した当該コンテンツを記録手段にて利用不可コンテンツとして保持し、少なくとも当該コンテンツのＩＤと記録媒体のＩＤとをコンテンツ管理手段にコンテンツライセンス情報として保持する制御手段とを有する情報端末装置において、外部ネットワークと接続可能な通信手段を有し、制御手段は、通信手段が受信したコンテンツライセンス情報から、コンテンツ管理手段に保持された利用不可コンテンツのコンテンツライセンス情報と一致するコンテンツを判別し、記録手段に保持された利用不可コンテンツを利用可能とすることを特徴とする。
【００１８】
本発明の情報端末装置は、脱着可能な記録媒体を介してコンテンツを移動することが可能なコンテンツ入出力手段と、コンテンツの移動する時に、コンテンツに関する情報であるコンテンツ情報を記録及び管理するコンテンツ管理手段と、コンテンツ情報を利用可能及び利用不可能の状態で保持することが可能な記録手段と、情報端末装置の各手段を制御し、記録手段に保持されたコンテンツを記録媒体に移動し、記録媒体に移動した当該コンテンツを記録手段にて利用不可コンテンツとして保持し、少なくとも当該コンテンツのＩＤと記録媒体のＩＤとをコンテンツ管理手段にコンテンツライセンス情報として保持する制御手段とを有する情報端末装置において、情報端末装置の電源を管理する電源管理手段を有し、制御手段は、電源管理手段が判定する電源切断処理の開始を契機に、記録手段に保持されたコンテンツを記録媒体に移動し、記録手段の当該コンテンツを利用不可コンテンツとして保持し、コンテンツライセンス情報をコンテンツ管理手段に保持し、電源管理手段が判定する電源入力処理の開始を契機に記録媒体に保持された当該コンテンツを記録手段に移動し、記録媒体に当該コンテンツを利用不可コンテンツとして保持し、当該コンテンツのＩＤとコンテンツ管理手段にて保持された当該コンテンツのコンテンツライセンス情報と一致する場合は、記録媒体に保持された利用不可コンテンツを利用可能とし、一致しなかった場合は当該コンテンツを記録媒体にコピーすることを特徴とする。
【００１９】
また本発明の情報端末装置は、脱着可能な記録媒体を介してコンテンツを移動することが可能なコンテンツ入出力手段を有する情報端末装置において、コンテンツの移動時に、コンテンツに関する情報を記録し管理するコンテンツ管理手段と、無線通信によって外部ネットワークと接続可能な通信手段と、情報端末装置を制御し、記録媒体のＩＤとコンテンツＩＤから成るコンテンツライセンス情報を、記録媒体に保持された当該コンテンツと対応付けられた記通信手段を介して送信し、コンテンツを利用不可コンテンツとして記録媒体に保持し、コンテンツ管理手段にて当該利用不可コンテンツに関するコンテンツライセンス情報を保持し、当該コンテンツ管理手段に保持された利用不可コンテンツのコンテンツＩＤと対応付けられ記録媒体に保持された移動元情報端末装置に対して、通信手段を介してコンテンツライセンス情報を請求し、移動元情報端末装置より当該コンテンツライセンス情報を受信した場合には、記録手段に保持された当該コンテンツを利用可能とする制御手段とを有することを特徴とする。
【００２０】
また本発明の情報端末装置は、更に、情報端末装置の電源を管理する電源管理手段を有し、制御手段は、情報端末装置を制御し、電源管理手段が判定する電源切断処理の開始を契機に、コンテンツライセンス情報を、記録媒体に保持された当該コンテンツと対応付けられた記通信手段を介して送信し、コンテンツを利用不可コンテンツとして記録媒体に保持し、コンテンツ管理手段にて当該利用不可コンテンツに関するコンテンツライセンス情報を保持し、電源管理手段が判定する電源入力処理の開始を契機に、コンテンツ管理手段に保持された利用不可コンテンツのコンテンツＩＤと対応付けられ記録媒体に保持された移動元情報端末装置に対して、通信手段を介してコンテンツライセンス情報を請求し、移動元情報端末装置より請求したコンテンツライセンス情報を受信した場合は、記録手段に保持された当該コンテンツを利用可能とすることを特徴とする。
【００２１】
また、本発明の車載装置は、脱着可能な記録媒体を介してコンテンツを移動することが可能なコンテンツ入出力手段を有する車載装置において、コンテンツの移動時に、コンテンツに関する情報を記録し管理するコンテンツ管理手段と、無線通信によって外部ネットワークと接続可能な通信手段と、移動体の電源状況と自車位置情報を取得する車両情報取得手段と、車載装置を制御し、車両情報取得手段が移動体の発動機と連動して電力供給される電源線からの電力供給停止と、自車位置情報に基づいて移動体が予め定められた特定の地点にあることの判定とを契機に、記録媒体のＩＤとコンテンツＩＤから成るコンテンツライセンス情報を、記録媒体に保持された当該コンテンツと対応付けられた移動元情報端末装置に通信手段を介して送信し、コンテンツを利用不可コンテンツとして記録媒体に保持し、コンテンツ管理手段にて当該利用不可コンテンツに関するコンテンツライセンス情報を保持し、車両情報取得手段が電源線からの電力供給開始と移動体が特定の地点にあることを判定したことを契機に、コンテンツ管理手段に保持された利用不可コンテンツのコンテンツＩＤに対応付けられた移動元情報端末装置に対して、通信手段を介してコンテンツライセンス情報を請求し、移動元情報端末装置より請求したコンテンツライセンス情報を受信した場合には、記録手段に保持された当該コンテンツを利用可能とすることを特徴とする。
【発明の効果】
【００２２】
本発明によれば、一度ムーブしたコンテンツを記録媒体を移動させることなく、通信によってムーブバックさせることが可能となり、ムーブ若しくはムーブバックに際してユーザ利便性を向上させることができる。
【発明を実施するための最良の形態】
【００２３】
以下、本発明の実施の形態について、図面を用いて説明する。
【００２４】
図１〜図６は本発明の第１の実施例を説明するための図である。図１は、車両等の移動体に設けられた通信手段を用いたコンテンツのムーブバックシステムの概念図である。図２は、コンテンツ設定を管理する記憶情報テーブルの一例を示す図である。図３は、図１の構成機器における動作の一例を説明するためのフローチャートである。図４は、本発明のシステム構成を説明するためのブロック図である。図５と図６は、それぞれ、本発明の処理動作の一例を説明するためのフローチャートである。
【００２５】
図１〜図６によって説明する本発明の一実施例は、コンテンツのライセンス情報をムーブ若しくは再ムーブの際に付加し、移動（コピー）先の記録媒体に記録されたコンテンツのライセンス情報を、無線通信により、移動（コピー）元の記録媒体に通知することによって、移動元の記録媒体内の該当するコンテンツを再度利用可能にし、移動先の記録媒体では、コンテンツを利用不可とすることで、著作権保護を保ちつつ通信によるムーブを実施するものである。また、好ましくは、移動先の記録媒体は比較的小容量の記録媒体であり、画質若しくは音質が劣化された状態でムーブ（コピー）される。また、好ましくは、移動元の記録媒体は比較的大容量の記録媒体であり、画質若しくは音質を劣化せずにムーブ（コピー）可能である。
【００２６】
更に、コンテンツ本体をコピー及び削除しないため、ムーブの時間が早くなる。
【００２７】
図１によって、車載装置の通信手段を用いて、コンテンツのコピー管理方法を説明する。１０１は地上波テレビ放送を録画可能な情報端末装置、１０２は情報端末装置１０１に内蔵されたコピーワンスコンテンツ（付加情報として「コピーワンス」が付けられているコンテンツ）を保存した移動元記録媒体（記憶媒体）、１０３は移動元記録媒体１０２からコピー又は移動したコンテンツを保持し、ユニークなＩＤを保持するリムーバブルな記録媒体（記憶媒体）、１０４は車両等の移動体、１０５は移動体１０４に搭載され、記録媒体１０３のコンテンツ再生機能を有する車載装置、１０６はリムーバブルな記録媒体１０３に保持されたコンテンツ、１０７は車載装置１０５に接続された通信手段、１０８は移動体１０５に接続された通信手段１０７から情報端末装置１０１に向けて発信される記録媒体１０３に保持されたコンテンツライセンス情報、１０９は無線または有線通信で情報端末装置１０１と結合するネットワークである。
【００２８】
情報端末装置１０１は、例えば、ＨＤＤのように、内部に大容量記録媒体（記録媒体１０２）を持ち、コピーワンス等のコンテンツプロテクション仕様に準拠し、ＣＰＲＭ（ Content Protection for Recordable Media ）等のコンテンツ保護技術に対応している書込み可能な記録媒体を内蔵している。即ち、情報端末装置１０１は、例えば、地上波デジタルテレビ放送対応のＨＤＤレコーダ等の記録再生装置である。
【００２９】
また、移動元記録媒体１０２は、例えば、情報端末装置１０１に内蔵されたＨＤＤであり、少なくとも１つ乃至複数のコピーワンスコンテンツを記録し保存している。リムーバブルな記録媒体１０３は、例えば、メモリカード、フラッシュカード、等のメモリ系の記録媒体、若しくは、ハードディスク、光ディスク、光磁気ディスク、等のディスク系の記録媒体であり、映像記録再生装置、等の読み取り／書き込み（Ｉ／Ｏ）手段を備えた機器のＩ／Ｏ手段に脱着可能な記録媒体である。リムーバブル記録媒体は、広義には、ホットスワップやプラグアンドプレイが可能な外部ストレージも含む。また、通信手段１０７は、例えば、携帯電話、ＰＤＡ（ Personal Digital Assistant ）、若しくは携帯型ＰＣ（ Personal Computer ）でも良い。なお、コンテンツライセンス情報１０８は、例えば、記録媒体ＩＤ（ＩＤ：識別子、識別名）及び当該コンテンツＩＤからなる。
【００３０】
図１において、移動元記録媒体１０２は、コンテンツを暗号化して記録し、対タンパ性を有するハードディスクドライブである。また、リムーバブルな記録媒体１０３は、メモリカード等の簡易な脱着により携帯可能なメモリ媒体である。
【００３１】
車載装置１０５は、カーナビ（カーナビゲーションシステム）若しくはＡＶ（ Audio Visual ；Audio Video ）ユニットであり液晶ディスプレイ、スピーカ、イヤホンジャック等のコンテンツ再生環境を有し、リムーバブルな記録媒体１０３の読み取りドライブまたは、読み取りドライブとの接続手段を有する。
【００３２】
更に、車載装置１０５は、ＨＤＤ等の記録手段を有する。当該ＨＤＤは、リムーバブルな記記録媒体１０３が保持するコンテンツをムーブ等で保持することが可能である。
【００３３】
コンテンツ１０６は、例えば、情報端末装置１０１で記録した地上波デジタル放送の番組であり、リムーバブルな記録媒体１０３にムーブしたコンテンツである。
【００３４】
通信手段１０７は、車載装置１０５に接続され、データ通信が可能で、コンテンツ１０６に対応する情報端末装置１０１若しくは移動元記録媒体１０２の電子メールアドレスへ電子メール送信可能である。通信方式としては、ＰＨＳ（ Personal Handy-phone System ）、ＰＤＣ（ Personal Digital Cellular ）、ＧＳＭ（ Global System for Mobile Communications ）、ＣＤＭＡ（ Code Division Multiple Access ）、Ｗ−ＣＤＭＡ（ Wideband Code Division Multiple Access ）、ＣＤＭＡ−２０００、ＤＳＲＣ（ Dedicated Short Range Communication ）、ＷｉＭａｘ（ Worldwide Interoperability for Microwave Access ）等の通信方式の少なくとも１つを有する通信装置である。
【００３５】
コンテンツライセンス情報１０８は前記記録媒体１０３の記録媒体ＩＤ、前記コンテンツ１０６のコンテンツＩＤとを有する。
【００３６】
ネットワーク１０９はセルラー網やＩＰネットワーク等で構成される通信網である。
【００３７】
図１の実施例において、リムーバブルな記録媒体１０３は、メモリカードやフラッシュカード等のメモリ媒体やポータブルＨＤＤを着脱可能な携帯型音声動画再生装置でも良い。その場合、着脱可能なリムーバブルな記録媒体１０３を移動体１０４の車載装置１０５に接続して、上述の運用をしても良い。
【００３８】
また、車載装置１０５を用いず、直接移動体１０４の通信手段１０７と接続する運用でも良い。
【００３９】
更に、内蔵した記録媒体を備えた携帯型音声動画再生装置であって、その内蔵した記録媒体に情報端末装置１０１の移動元記録メディア１０２のコンテンツをムーブしたのであれば、車載装置１０５を用いず、直接移動体１０４の通信手段１０７と接続して運用することができる。
【００４０】
また図１の実施例では、移動元記録媒体１０２は、情報端末装置１０１に内蔵されていた。しかし、内蔵ではなく、情報端末装置１０１に接続された外付けの記憶装置でも良く、有線若しくは無線等の手段で家庭内ＬＡＮ（ Local Area Network ）等に結合された記憶装置でも良い。
【００４１】
なお、記録媒体１０３、移動体１０４、車載装置１０５は、不正な情報取り出しを防ぐ対タンパ性を有しても良い。
【００４２】
図２は記録媒体１０２若しくは１０３に保持され、コンテンツ情報を管理する記憶情報テーブルの一例である。２００は記憶情報テーブル、２０１はテレビ番組等の番組名であるコンテンツ名、２０２は各コンテンツに対して割り当てたＩＤ番号であるコンテンツＩＤ、２０３はコンテンツのコピー制御内容を記載したコピーコントロール情報、２０４はコンテンツを通信でムーブバックや再ムーブする場合にコンテンツライセンス情報を通知するあて先を示す移動元記録媒体の電子メールアドレス、２０５はコンテンツを通信でムーブバックや再ムーブする場合に移動元記録媒体に保持された利用不可コンテンツを解読するための移動元コンテンツ暗号鍵である。
【００４３】
図２において、コンテンツ名２０１は、記録された当該コンテンツの番組名やファイル拡張子から成る名称である。本図Ｎｏ.１〜Ｎｏ．４の例では、それぞれ、ａ．ｍｐｇ（ＭＰＥＧ：Moving Pictures Experts Group ）、ｂ．ｗｍｖ（ Windows（登録商標） Media Video ）、ｃ．ｍｐ４（ MPEG-4 ）、ｄ．ｒｍ（ Real Video ）としている。なお、その他の動画フォーマットでも良い。また上記の括弧内は各コンテンツ拡張子から判明する動画フォーマット名称である。
【００４４】
コンテンツＩＤ２０２は、各コンテンツに対して割り当てたＩＤ番号であり、各コンテンツと一意に対応する。
【００４５】
コピーコントロール情報２０３は、各コンテンツに設定されたコピーコントロール情報であり、コピー可否や回数を既定している。
【００４６】
電子メールアドレス２０４は、ムーブによって記録媒体に移動されたコンテンツに付加され、移動元記録媒体に対して通信によってコンテンツのライセンス情報の通知を可能とする。
【００４７】
移動元コンテンツ暗号鍵２０５は、移動元記録媒体がムーブ時に元コンテンツの利用不可化に際してコンテンツを暗号化した場合に追加される当該コンテンツの暗号解読鍵である。ただし、移動元で暗号化しなかった場合は付加されない。
【００４８】
例えば、図２において、コンテンツＮｏ．１のコピーコントロール情報は、不可となっており、コピー禁止である。そのためコンテンツＮｏ．１を別の記録媒体へコピーする場合はコピーと同時に元媒体のコンテンツを消去する「ムーブ」を行わなければならない。
【００４９】
コンテンツＮｏ．１を、移動体１０５から情報端末装置１０１に戻す場合は、図２に記載の電子メールアドレス（ａ＠ｂ．ｃ）に、コンテンツＩＤと移動元コンテンツ暗号鍵と移動先記録媒体ＩＤを送る。電子メールを送信する移動体１０５側は、対象コンテンツを暗号化等により利用不可とする一方、電子メールを受信した情報端末装置１０１では、対象コンテンツを復号化するなどして連携する必要がある。
【００５０】
図３によって、図１と図２における構成機器の動作例を説明する。
図３において、予めユーザＨが管理する情報端末装置１０１に保持されたコピー不可コンテンツが記録媒体１０３にムーブされ、当該記録媒体がユーザＣの管理により持ち出され、移動体１０４に持ち込み車載装置１０５にて再生等を行っていた。ユーザＣは、ユーザＨの管理する情報端末装置１０１の所在地から離れた遠隔地に移動している。
【００５１】
その後、ユーザＨは、ユーザＣがムーブし持ち出したコンテンツを視聴したくなって、電話等の何らかの伝達手段によって、ユーザＣにその旨を連絡した。ユーザＣはその連絡を受けて、以下のような手順で、ユーザＨの管理する情報端末１０１の記録媒体１０２に当該コンテンツのコンテンツライセンス情報を送信することにより、遠隔地のユーザＨは、再び、ユーザＣがムーブして持ち出したコンテンツを返却させ、元の画質、元の音質で当該コンテンツを視聴することができる。また、ユーザＣは、持ち出したリムーバブルな記録媒体１０３で当該コンテンツを視聴できない状態となる。
【００５２】
ユーザＣの操作により、図３の処理動作が開始される。
まず、ステップＳ３０１では、移動体１０５は、ユーザＣより、ムーブバック開始の操作を受け、図２に示すような、コンテンツ情報を管理する記憶情報テーブルを参照し、ユーザＣが指定するコンテンツに関する情報を取得する。この記憶情報テーブルは当該コンテンツが記録された、持ち出されたリムーバブルな記録媒体１０３に記録されている。
【００５３】
次にステップＳ３０２では、読み出したコンテンツ情報から、コピーコントロール情報２０３（図２参照）を取得し、ユーザ指定のコンテンツのコピーコントロール情報がコピー不可であるか否かを判定する。該当する場合は、ステップＳ３０３に進み、該当しない場合は、コピー不可のコンテンツが無いと判断し、処理を止める。
【００５４】
ステップＳ３０３では、情報管理テーブルから、該当するコンテンツの電子メールアドレス情報を取得し、ステップＳ３０４に進む。該当する電子メールアドレスが情報管理テーブルに無い場合には、処理を止める。
【００５５】
ステップＳ３０４では、該当する電子メールアドレスを取得し、かつ、リムーバブルな記録媒体１０３に記録されている当該コンテンツを暗号化することで利用不可とし、ステップ３０５に進む。
【００５６】
そして、ステップＳ３０５では、電子メールにコンテンツライセンス情報として、コンテンツＩＤ、記録媒体ＩＤを送信して、処理を終了する。
【００５７】
これによって媒体を直接移動させることなく、また通信によってデータの大きなコンテンツそのものを移動させることなくコンテンツライセンス情報のみをムーブさせることが可能となる。
【００５８】
なお、移動先記録媒体ＩＤは記録媒体１０３に記録されているＩＤであり、本発明の図面には記載していない。
【００５９】
また、電子メールにて送信する各種情報は、通信中の情報漏えい防止などを目的にＤＥＳ（ Data Encryption Standard ）やＡＥＳ（ Advanced Encryption Standard ）等により暗号化しても良い。さらに、別電子メールにて前記暗号解読で用いる暗号鍵情報を送信しても良い。
【００６０】
図４は、上述した図１の実施例におけるシステム構成図である。
図１と同様の構成部品については同一符号を付し、説明を省略する。
【００６１】
４０１は無線又は有線で車載手段との通信を可能とする通信装置、４０２は映像等のコンテンツを記録する記録手段、４０３は映像等のコンテンツを記録手段４０２から記憶媒体１０３へ入出力するためのコンテンツ入出力手段、４０４はムーブで出入力したコンテンツの利用可否を設定し管理するコンテンツ管理手段、４０５は情報端末装置を構成する各手段を制御する制御手段である。
【００６２】
図１の情報端末装置１０１は、図４の通信手段４０１、記録手段４０２、入出力手段４０３、コンテンツ管理手段４０４、及び、制御手段４０５で構成される。
【００６３】
コンテンツ管理手段４０４は、記録媒体１０３若しくは記録媒体１０２に記録されたコンテンツ情報を管理するための記憶情報テーブル（図２参照）に基づいてコンテンツ情報を管理し、必要に応じて記憶情報テーブルのコンテンツ情報を更新する。
【００６４】
また、４０６は無線又は有線で情報端末装置との通信を可能とする通信手段、４０７は映像等のコンテンツを記録する記録手段、４０８は映像等のコンテンツを記録手段４０７から記録媒体１０３へ入出力するためのコンテンツ入出力手段、４０９はムーブで出入力したコンテンツの利用可否を設定し管理するコンテンツ管理手段、４１０は車内センサなどから車両の現在情報を取得する車両情報取得手段、４１１は車両情報取得手段４１０で取得保持された自車位置情報、４１２は車両情報取得手段４１０で取得保持された車両状況、４１３は車載装置１０５を構成する各手段を制御する制御手段である。
【００６５】
図１の車載装置１０５は、図４の通信手段４０６、記録手段４０７、コンテンツ入出力手段４０８、コンテンツ管理手段４０９、車両情報取得手段４１０、制御手段４１３で構成される。また、車両情報取得手段４１０は、自車位置情報４１１と車両状況４１２とに自動車位置情報と車両状況を記録し、随時更新している。
【００６６】
コンテンツ管理手段４０９は、記録媒体１０３若しくは車載装置１０５のＨＤＤに記録されたコンテンツ情報を管理するための記憶情報テーブル（図２参照）に基づいてコンテンツ情報を管理し、必要に応じて記憶情報テーブルのコンテンツ情報を更新する。
【００６７】
図４において、通信手段４０１及び４０６は、図１に示す通信手段１０７と同様のものであり、また、ＬＡＮ（ Local Area Network ）等の有線ネットワークへの接続も可能である。記録手段４０２及び４０７は、ＨＤＤなどの大容量記録媒体、メモリなどの半導体メモリによる記録媒体である。コンテンツ入出力手段４０３及び４０８は、記録媒体１０３若しくは記録媒体１０３等の記録媒体を装着して読み書き可能なドライブである。また、コンテンツ入出力手段４０３及び４０８は、Ｂｌｕｅｔｏｏｔｈ等のような無線若しくはＵＳＢ（ Universal Serial Bus ）やＩＥＥＥ１３９４等による有線によって記録媒体のデータを送受する装置でも良い。
【００６８】
コンテンツ管理手段４０４及び４０９は、メモリ上に記憶されたプログラムであり、装置内コンテンツのＩＤ等をリスト化し図２に示すテーブルとして管理し、コンテンツをムーブした場合、該コンテンツを利用不可とし、再ムーブした場合は該コンテンツを利用可能とする。この時、ユーザから不正利用されないよう利用不可状態のコンテンツは暗号化するなどの著作権管理上の防衛措置も行う。
【００６９】
制御手段４０５及び４１３は、ＣＰＵ（ Central Processing Unit ）等の演算装置で、メモリなどの記憶装置を内蔵し、記憶装置の一部またはいずれかに制御処理を実行するプログラムを保持している。
【００７０】
制御手段４０５は、記録手段４０２に記録されたコンテンツを、コンテンツ入出力手段４０３を介して記録媒体１０３にムーブする。その際、記録媒体１０３の容量がコンテンツの容量よりも少ない場合には、自動的にコンテンツを圧縮してムーブする。例えば、地上波デジタル放送のＭＰＥＧ２−ＴＳ（ Transport Stream ）コンテンツの容量を削減するためにＨ．２６４（ MPEG-4 Part10 Advanced Video Coding / ITU-T Rec.H.264 ）などの高圧縮方式で再圧縮する。
【００７１】
同様に、制御手段４１３もまた、記録手段４０７に記録されたコンテンツを、コンテンツ入出力手段４０８を介して記録媒体１０３にムーブする際に、記録媒体１０３の容量がコンテンツの容量よりも少ない場合には、自動的にコンテンツを圧縮してムーブする。なお、車載装置１０５における制御手段４１３についての動作は、当該コンテンツを、移動元の情報端末装置１０１からムーブして持ち出した記録媒体１０３から、車載装置１０５に内蔵の記録手段（図１の実施例における車載装置１０５内蔵のＨＤＤ参照）４０７に、更にムーブして記録された場合である。
【００７２】
車両情報取得手段４１０は、図示しないＣＡＮ（ Controller Area Network ）、ＬＩＮ（ Local Interconnect Network ）などのボディ系やパワートレイン系ネットワークを介して移動体１０４に設定されたセンサから、車両状況の情報を取得する。そして、車両情報取得手段４１０は、車両状況の情報を受け、車両情報取得手段４１０若しくは制御手段４１３内に予め保持している閾値などの設定情報を参照して、車両状況の判定を行い、車両状況４１２内の車両状況の情報を随時更新する。
【００７３】
例えば、車両情報取得手段４１０は、移動体１０４のエンジンと連動して電力が供給されるＡＣＣ（アクセサリキー）のＯＮ／ＯＦＦの情報によって、移動体１０４が走行可能状態であるか否かを判別することができる。また例えば、車両情報取得手段４１０は、ワイパーが一定時間動作している情報を取得することによって、移動体１０４周囲の天候状況が雨天であると判別する。また車両情報取得手段４１０は、車速パルスの情報によって、移動体１０４の停止や高速走行等を判別する。
【００７４】
また車両情報取得手段４１０は、移動体１０４に搭載された位置情報検出センサ（例えば、ＧＰＳ（ Global Positioning System ））から、移動体１０４の位置情報を取得し、自車位置情報４１１内の自車位置情報を随時更新する。
【００７５】
図５及び図６は、図４の実施例における車載装置１０５のＡＣＣ−ＯＮ／ＯＦＦ機能に連動させて、本発明のムーブ及びムーブバック機能を実行する場合の一実施例の動作説明図である。図５は、車載装置１０５のＡＣＣ−ＯＮによって、移動体１０４が情報端末装置１０１にコンテンツライセンス情報を請求（要求）して獲得（取得）する手順を示すフローチャートである。また図６は、車載装置１０５のＡＣＣ−ＯＦＦによって、移動体１０４が情報端末装置１０１にコンテンツライセンス情報を返却する手順を示すフローチャートである。
【００７６】
図５若しくは図６は、それぞれ、情報端末装置１０１、車載装置１０５の装置間の処理を示しており、同図を用いて車両情報取得手段４１０からのＡＣＣ−ＯＮ／ＯＦＦ情報取得時のコンテンツムーブ処理手順を説明する。
【００７７】
図５において、まずステップＳ５００では、ユーザの操作により、ＡＣＣ−ＯＮとし、車載装置１０５を起動する。
【００７８】
そしてステップＳ５０１では、制御手段４１３は、車両情報取得手段４１０より車両状況４１２がＡＣＣ−ＯＮとなったことを認識し、コンテンツ管理手段４０９にＯＮの認識に対応する指示を出す。コンテンツ管理手段４０９は、制御手段４１３からの指示に応答して、記録手段４０７に保持された利用不可状態のコンテンツ情報を読み出す。また、コンテンツ入出力手段４０８に記録媒体１０３が存在する場合には、利用不可状態のコンテンツと、そのコンテンツ情報を読み出し、各利用不可コンテンツの移動元電子メールアドレスを取得し、ステップＳ５０２に進む。記録媒体１０３が存在しない場合、及び、記録媒体１０３内に利用不可状態のコンテンツが無い場合には、処理を停止する。
【００７９】
ステップＳ５０２では、制御手段を４１３は、通信手段４０６により、コンテンツの移動元（即ち、電子メールアドレス宛）の情報端末装置１０１に、コンテンツライセンス情報１０８の要求（請求）を送信する。
【００８０】
ステップＳ５０３では、通信先の情報端末装置１０１は、通信手段４０６から送信された要求を通信手段４０１が受信し、受信した当該コンテンツのライセンス要求を制御手段４０５に出力する。制御手段４０５は、当該コンテンツが記録手段４０２若しくは記録媒体１０３に存在することを確認し、コンテンツ管理手段４０４に指示し、当該コンテンツを利用不可化する。
【００８１】
次に、ステップＳ５０４では、制御手段４０５は、当該コンテンツのコンテンツライセンス情報１０８を車載装置１０５に送信する。
【００８２】
そしてステップＳ５０４では、制御手段４０５は、コンテンツ管理手段４０４に、当該コンテンツが利用不可状態であることを記録し、当該コンテンツのコンテンツライセンス情報１０８を要求された車載装置１０５に、通信手段４０１を介して送信する。
【００８３】
ステップＳ５０５では、車載装置１０５の制御手段４１３は、コンテンツライセンス情報１０８を、通信手段４０６を介して獲得し、当該コンテンツを利用可能化すると共に、コンテンツ管理手段４０９に当該コンテンツが利用可能状態であることを記録し、処理を終了する。
【００８４】
次に図６において、まずステップＳ６００では、ユーザの操作により、ＡＣＣ−ＯＦＦとし、車載装置１０５を起動する。
【００８５】
ステップＳ６０１では、制御手段４１３は、車両情報取得手段４１０より車両状況４１２がＡＣＣ−ＯＦＦとなったことを認識し、コンテンツ管理手段４０９にＯＦＦの認識に対応する指示を出す。コンテンツ管理手段４０９は、制御手段４１３からの指示に応答して、記録手段４０７に保持された記憶情報テーブル２００のコピー不可コンテンツ情報でかつ利用可能状態のコンテンツ情報を読み出す。更にまた、コンテンツ入出力手段４０８に記録媒体１０３が存在する場合には、コピー不可コンテンツ情報でかつ利用可能状態のコンテンツと、そのコンテンツ情報を読み出し、各利用可能コンテンツの移動元電子メールアドレスを取得し、ステップＳ６０２に進む。記録媒体１０３が存在しない場合、及び、記録媒体１０３内にコピー不可コンテンツでかつ利用可能状態のコンテンツが無い場合には、処理を停止する。
【００８６】
ステップＳ６０２では、制御手段４１３は、コンテンツ管理手段４０９に指示を出す。コンテンツ管理手段４０９は、当該コンテンツの記録された記録媒体中の記憶情報テーブルを更新することによって、電子メールアドレスが付属し移動元記録媒体が存在する当該コピー不可コンテンツを利用不可とする。
【００８７】
ステップＳ６０３では、制御手段４１３は、通信先媒体に当該コンテンツのコンテンツライセンス情報を、通信手段４０６を介して電子メールにて情報端末装置１０１に送信する。
【００８８】
ステップＳ６０４では、情報端末装置１０１は、車載装置１０５から送信されたコンテンツライセンス情報を、通信装置４０１を介して受信し、通信装置４０１から制御手段４０５に出力する。制御手段４０５は、受信したコンテンツライセンス情報（ライセンスの返却）を受けて、当該コンテンツを利用可能化とすることを、コンテンツ管理手段４０４に指示する。コンテンツ管理手段４０４は、当該コンテンツが利用可能状態となるように当該コンテンツが記録されている記録媒体の記憶情報テーブルを更新する。
【００８９】
以上の処理手順にてＡＣＣ−ＯＮ／ＯＦＦに連動して自動的にコンテンツライセンス情報の送受がなされる。
【００９０】
上述の図５及び図６の実施例では、コンテンツのライセンス送受がなされる条件として車載情報取得手段４１０で取得した車両状況４１２がＡＣＣ−ＯＮ／ＯＦＦとしている。しかし、上記条件に加えて自車位置情報４１１が予め登録してあった地点に自車両が位置すると判定したことを条件としても良い。
【００９１】
これはＡＣＣ−ＯＮ／ＯＦＦという条件だけでは当該コンテンツのコンテンツライセンス情報１０８の送受が頻繁に発生する可能性があるためであり、情報端末装置１０１と車載装置間１０５でコンテンツを出入することを考慮すると、例えばコンビニエンスストアでの買い物の際に発生するＡＣＣ−ＯＮ／ＯＦＦでコンテンツのライセンス情報１０８を送受する必要性は低く、例えば、情報端末装置１０１を設置した自宅の駐車場において移動体１０４をＡＣＣ−ＯＮ／ＯＦＦされるのであればドライバによって記録媒体が脱着されコンテンツ移動を伴う利用可能性が比較的高くなるためである。
【００９２】
また、上述の実施例では、コンテンツに情報端末装置としてＨＤＤレコーダなどの固定式装置を想定している。しかし、持ち運び可能な携帯電話やポータブルプレーヤであっても良い。この場合、記録媒体はメモリカードであり、ラジオやＴＶ放送を記録したコンテンツが考えられる。また携帯電話であればＧＰＳ等の数メートル単位の位置判別や、非接触ＩＣカードリーダによる数センチ単位の位置判別も可能となり、予め設定した位置への移動を検知したことを契機としてコンテンツをムーブしても良い。
【００９３】
また上述の図５、図６等の実施例では、コンテンツに付随した電子メールアドレスにて元コンテンツを有する情報端末装置を特定しコンテンツライセンスを送受している。しかし、電子メールでは、一般的に送信元の電子メールアドレスが送信先に通知されるため、元コンテンツを有する情報端末装置から車載装置へ電子メールを用いたコンテンツライセンス情報の送受が可能である。
【００９４】
また上述の実施例では、コンテンツに付随した電子メールアドレスにて元コンテンツを有する情報端末装置を特定し、コンテンツライセンス情報を送受している。しかし、通信方法としては上記電子メールで用いたＳＭＴＰ（ Simple Mail Transfer Protocol ）だけでなくＳＭＳ（ Short Message Service ）やＦＴＰ（ File Transfer Protocol ）、また、独自の通信プロトコルを用いた通信でも良い。
【００９５】
上記した実施例で述べた利用不可状態とは、ユーザが利用時にコンテンツを選択できない状態、またはコンテンツが存在することを認識できない状態であり、特に記録媒体から直接データ読取等の行為によるコピーを防ぐためにコンテンツを暗号化しても良い。
【００９６】
なお、上述の図５及び図６の実施例では、電子メールの授受に、ＴＣＰ／ＩＰ（ Transmission Control Protocol / Internet Protocol ）のような、通信プロトコルを採用しているため、互いの送信が、相手先に届いているかどうかが確認できている。しかし、更に、送受信の信頼性を向上させるため、コンテンツライセンス情報を送信した側（送信側）が、受信するべき側（受信側）からの応答を確認するようにして、所定時間内に応答が無ければ、ライセンスの移動をキャンセルするようにしても良い。更にまた、受信側があらためて別の電子メールを返すようにプログラムし、所定時間以内に送信側が受信確認することで、相互のライセンスの移動が完了するようにしても良い。
【００９７】
なお、本利用不可状態に関する上記の記述は以下の実施例についても同様とする。
【００９８】
上述の図１〜図６の実施例によれば、１度コンテンツをムーブした記録媒体を移動させることなく、通信によってムーブバックさせることが可能となり、ムーブ若しくはムーブバックに際してユーザ利便性を向上させることができる。特に車両のＡＣＣと連動してムーブを実施することによりユーザの車両乗降時にムーブ操作を忘れることなく実施することが可能となる。
【００９９】
図７〜図９によって、本発明の第２の実施例を説明する。図７は本発明の一実施例の情報端末装置の概念図、図８及び図９は情報端末装置の動作処理の一例である。
【０１００】
本発明の第２の実施例は、情報端末装置の電源ＯＮ／ＯＦＦを契機に記録されたコピー不可コンテンツのコンテンツライセンス情報を、移動可能な記録媒体にムーブする。そして、移動元（情報端末装置）の記録手段に保存されている当該コンテンツを利用不可とする。これによって、著作権の保護を確保し、コンテンツ持ち出し時の利便性を向上する。
【０１０１】
図７において、７０１は地上波テレビ放送を録画可能な情報端末装置、７０２は情報端末装置７０１の電源状況を管理する電源管理手段、７０３は情報端末装置７０１を構成する各手段を制御する制御手段である。また、図４と同様の構成部品については同一符号を付す。
【０１０２】
情報端末装置７０１は、内部に、例えば、ＨＤＤ等の大容量記録媒体を持ち、コピー不可等のコンテンツプロテクション仕様に準拠し、ＣＰＲＭ等のコンテンツ保護技術に対応していることが望ましい。即ち、情報端末装置７０１は、例えば、ＨＤＤレコーダ等の記録再生装置である。
【０１０３】
電源管理手段７０２は、情報端末装置７０１の電源状態を監視しＯＮ／ＯＦＦに伴って制御手段７０３に通知する。制御手段７０３は、ＣＰＵ等の演算装置で、メモリなどの記憶装置を内蔵し、メモリの一部またはいずれかに制御処理を実行するプログラムを保持している。
【０１０４】
制御手段７０３は、記録手段４０２に記録されたコンテンツを、コンテンツ入出力手段４０３を介して記録媒体１０３にムーブする。その際、記録媒体１０３の容量（若しくは、空き容量、又は記録可能容量）がコンテンツの容量よりも少ない場合には、自動的にコンテンツを圧縮してからムーブする。例えば、地上波デジタル放送のＭＰＥＧ２−ＴＳ（ Transport Stream ）コンテンツの容量を削減するためにＨ．２６４などの高圧縮方式で再圧縮する。
【０１０５】
図８及び図９は、図７の実施例における情報端末装置７０１の電源ＯＮ／ＯＦＦ機能に連動させて、本発明のムーブ若しくはムーブバックの処理動作を実行する場合の一実施例の動作説明図である。
【０１０６】
図８及び図９では、図７で示した情報端末装置７０１の構成要素である、電源管理手段７０２、制御手段７０３、記録手段４０２、コンテンツ入出力手段４０３、記録媒体１０３、及び、コンテンツ管理手段４０４の各手段間の処理を説明する。そうすることによって、電源ＯＮ／ＯＦＦ時のコンテンツムーブ処理手順を説明している。
【０１０７】
図８及び図９においては、主に、図７の制御手段７０３が、情報端末装置７０１の処理動作を実行する。従って、特に記述しない限り、制御手段７０３が処理動作を実行している。
【０１０８】
図８によって、情報端末装置７０１の電源ＯＦＦ時のコンテンツ処理の一実施形態を説明する。
【０１０９】
図８において、まずステップＳ８００では、ユーザの操作により、電源ＯＦＦとする。これによって、電源のＯＮ／ＯＦＦを定期的に監視している電源管理手段７０２は、電源ＯＦＦとなったことを検知して、制御手段７０３に電源ＯＦＦとなったことを通知する。これによって、制御手段７０３は、ステップＳ８０１以下の処理動作を開始する。
【０１１０】
ステップＳ８０１では、記録手段４０２からコンテンツ情報を取得する。このとき、コンテンツが無い場合は処理動作を終了する。コンテンツが存在した場合には、ステップＳ８０２に進む。
【０１１１】
ステップＳ８０２では、更にコンテンツ入出力手段４０３に記録媒体１０３が存在するか否かを判定する。記録媒体１０３に存在しなければ、ステップＳ８０３に進む。存在する場合には、そのコンテンツ情報を読み出し、記録手段４０２から読み出したコンテンツ情報と比較する。そして、記録手段４０２にのみ存在するコンテンツの有無を判定する。記録手段４０２にのみ存在するコンテンツがある場合にはステップＳ８０３に進み、存在しない場合には処理動作を終了する。
【０１１２】
ステップＳ８０３では、当該コンテンツ情報を読み出し、コピー不可コンテンツであるか否かを判定する。そして、コピー不可コンテンツでなければ、ステップＳ８０４（コンテンツを単純コピーして処理動作終了）に進む。また、コピー不可コンテンツであれば、ステップＳ８０５に進む。
【０１１３】
ステップＳ８０５では、コンテンツ管理手段４０４に指示し、コンテンツ管理手段４０４によって、記録手段４０２の当該コンテンツを利用不可状態に変更する（記録手段４０２内の記憶情報テーブルの情報を更新）。
【０１１４】
そして、ステップＳ８０６では、記録媒体１０３に同じコンテンツが利用不可状態で保持されていないか読み出し、保持されていなければステップＳ８０４（コンテンツを単純コピーして処理動作終了）に進む。保持されていた場合はステップＳ８０７に進む。
【０１１５】
ステップＳ８０７では、当該コンテンツのコンテンツライセンス情報を移動し、記録媒体１０３の当該コンテンツを利用可能化し終了する（即ち、記録媒体１０３内の記憶情報テーブルの情報を更新する）。
【０１１６】
なお、ステップＳ８０４では、記録手段４０２に記録されている当該コンテンツを記録媒体１０３にコピーする。
【０１１７】
次に図９に情報端末装置７０１の電源ＯＮ時のコンテンツ処理を示す。
図９において、まずステップＳ９００では、ユーザの操作により、電源ＯＮとする。これによって、電源のＯＮ／ＯＦＦを定期的に監視している電源管理手段７０２は、電源ＯＮとなったことを検知して、制御手段７０３に電源ＯＮとなったことを通知する。これによって、制御手段７０３は、ステップＳ９０１以下の処理動作を開始する。
【０１１８】
ステップＳ９０１では、コンテンツ入出力手段４０３に記録媒体１０３が存在する場合はそのコンテンツ情報を読み出す。このとき、コンテンツが無い場合は処理動作を終了する。コンテンツが存在した場合には、ステップＳ９０２に進む。
【０１１９】
ステップＳ９０２では、更に記録手段４０２からコンテンツ情報を取得し、記記録媒体１０３から読み出したコンテンツ情報と比較する。そして、記録媒体１０３にのみ存在するコンテンツの有無を判定する。記録媒体１０３にのみ存在するコンテンツがある場合にはステップＳ９０３に進み、存在しない場合には処理動作を終了する。
【０１２０】
ステップＳ９０３では、当該コンテンツ情報を読み出し、コピー不可コンテンツのであるか否かを判定する。そして、コピー不可コンテンツでなければステップＳ９０４（コンテンツを単純コピーして処理動作終了）に進む。また、コピー不可コンテンツであれば、ステップＳ９０５に進む。
【０１２１】
ステップＳ９０５では、コンテンツ管理手段４０４に指示し、コンテンツ管理手段４０４によって、記録媒体１０３の当該コンテンツを利用不可状態に変更する（記録媒体１０３内の記憶情報テーブルの情報を更新）。
【０１２２】
そして、ステップＳ９０６では、記録手段４０２に同じコンテンツが利用不可状態で保持されていないか読み出し、保持されていなければステップＳ９０４（コンテンツを単純コピーして処理動作終了）に進む。保持されていた場合はステップＳ９０７に進む。
【０１２３】
記録手段４０２に同コンテンツが利用不可状態で保持されていないか読み出し、保持されていなければステップＳ９０４（コンテンツを単純コピーして処理動作終了）に進む。保持されていた場合はステップＳ９０７に進む。
【０１２４】
ステップＳ９０７では、当該コンテンツのコンテンツライセンス情報を移動し、記録手段４０２の当該コンテンツを利用可能化し終了する（即ち、記録手段４０２内の記憶情報テーブルの情報を更新する）。
【０１２５】
なお、ステップＳ９０４では、記録媒体１０３に記録されている当該コンテンツを記録手段４０２にコピーする。
【０１２６】
上述の図７〜図９の実施例では、情報端末装置７０１として地上波テレビ放送を録画可能な装置又はＨＤＤレコーダ等としているが、放送等でコンテンツを集積可能な端末であれば良く、インターネット経由で販売される動画コンテンツの取得が可能なＰＣ（ Personal Computer ）であっても良い。
【０１２７】
上述の図７〜図９の実施例に拠れば、情報端末装置においてリムーバブルな記録媒体若しくはモバイル利用メモリ媒体へのコンテンツの出入移動を自動的に実施することが可能となり、ユーザ利用時にコンテンツ移動によって待機させる機会が減少し、利便性が向上する。
【０１２８】
図１０〜図１２によって、本発明の第３の実施例を説明する。図１０は本発明の一実施例の概念図、図１１及び図１２は車載装置の動作処理の一例である。
【０１２９】
本発明の第３の実施例は、車載装置のＡＣＣ−ＯＮ／ＯＦＦを契機に記録されたコピー不可コンテンツのコンテンツライセンス情報を移動可能な記録媒体に移動する。そして、移動元（車載装置）の記録手段に保存されている当該コンテンツを利用不可とする。これによって、著作権の保護を確保し、持ち出したコンテンツの再ムーブ（ムーブバック）時の利便性を向上する。
【０１３０】
図１０において、１００１は移動体１０４に搭載され、記録媒体１０３のコンテンツを再生する機能を有する車載装置、１００２は車載装置１００１を構成する各手段を制御する制御手段である。また、図４と同様の構成部品については同一符号を付す。
【０１３１】
車載装置１００１は、カーナビ（カーナビゲーションシステム）またはＡＶ（ Audio Visual ；Audio Video ）ユニットであり液晶ディスプレイ、スピーカ、イヤホンジャック等のコンテンツ再生手段を有する。そして更に、記録媒体１０３の読み取りドライブ、若しくは、読み取りドライブとの接続手段を有する。
【０１３２】
また、車載装置１００１は、内部に、例えば、ＨＤＤ等の記録手段を有し、記録媒体１０３が保持するコンテンツをムーブ等で保持することができる。
【０１３３】
制御手段１００２は、ＣＰＵ（ Central Processing Unit ）等の演算装置で、メモリなどの記憶装置を内蔵し、記憶装置の一部またはいずれかに制御処理を実行するプログラムを保持している。制御手段１００２は、記録手段４０７に記録されたコンテンツを、コンテンツ入出力手段４０８を介して記録媒体１０３にムーブする。その際に、記録媒体１０３の容量（若しくは、空き容量、又は記録可能容量）がコンテンツの容量よりも少ない場合は自動的にコンテンツを再圧縮してからムーブする。例えば、地上波デジタル放送のＭＰＥＧ２−ＴＳ（ Transport Stream ）コンテンツの容量を削減するためにＨ．２６４などの高圧縮方式で再圧縮する。
【０１３４】
図１１及び図１２は、図１０における車載装置１００１のＡＣＣ−ＯＮ／ＯＦＦ機能に連動させて、本発明のムーブ若しくはムーブバックの処理動作を実行する場合の一実施例の動作説明図である。
【０１３５】
図１１及び図１２は、図１０で示した車載装置１００１の構成要素である、制御手段１００２、記録手段４０７、コンテンツ入出力手段４０８、記録媒体１０３、コンテンツ管理手段４０９、車両情報取得手段４１０、自車位置情報４１１、車両状況４１２、及び、制御手段１００２の各手段間の処理を説明する。そうすることによって、車両情報取得手段４１０からのＡＣＣ−ＯＮ／ＯＦＦ情報取得時のコンテンツムーブ処理手順を説明する。
【０１３６】
図１１及び図１２においては、主に、図１０の制御手段１００２が、車載装置１００１の処理動作を実行する。従って、特に記述しない限り、制御手段１００２が処理動作を実行している。
【０１３７】
なお、図８若しくは図９と同様の処理動作に関しては同一のステップ番号を付しており、煩雑になる場合には、説明を省略する場合がある。
【０１３８】
図１１によって、車載装置１００１におけるＡＣＣ−ＯＦＦ時のコンテンツ処理の一実施形態を説明する。
【０１３９】
図１１において、まずステップＳ１１００では、ユーザの操作により、ＡＣＣ−ＯＦＦとする。これによって、ＡＣＣのＯＮ／ＯＦＦを定期的に監視している車両情報取得手段４１０は、ＡＣＣの状態の変化を検知して、車両状況４１２のＡＣＣ情報をＡＣＣ−ＯＦＦに更新する。制御手段１００２は、車両状況４１２内のＡＣＣ情報を見て、ＡＣＣ−ＯＦＦとなったことを認識し、図１１のステップＳ１１０１以降の処理を開始する。
【０１４０】
ステップＳ１１０１では、記録手段４０７から、コンテンツ情報を取得する。またこの時、コンテンツが無い場合は処理を終了する。
【０１４１】
次に、図８で説明したステップＳ８０２からステップＳ８０７の手順を実施する。この場合、図７の構成要素を図１０の構成要素に置き換えて解釈する。
【０１４２】
以上のようにして、コピーネバーコンテンツのコンテンツ及びコンテンツライセンス情報を記録手段４０７から移動可能な記録媒体１０３に移動する。
【０１４３】
次に、図１２によって、車載装置１００１におけるＡＣＣ−ＯＮ時のコンテンツ処理の一実施形態を説明する。なお、図１０と同様の処理動作に関しては同一のステップ番号を付す。
【０１４４】
図１２において、まずステップＳ１２００では、ユーザの操作により、ＡＣＣ−ＯＮとする。これによって、ＡＣＣのＯＮ／ＯＦＦを定期的に監視している車両情報取得手段４１０は、ＡＣＣの状態の変化を検知して、車両状況４１２のＡＣＣ情報をＡＣＣ−ＯＮに更新する。制御手段１００２は、車両状況４１２のＡＣＣ情報を見て、ＡＣＣ−ＯＮとなったことを認識し、図１２のステップＳ１２０１以降の処理を開始する。
【０１４５】
ステップＳ１２０１では、コンテンツ入出力手段４０８に記録媒体１０３が存在する場合は、そのコンテンツ情報を読み出す。またこの時、コンテンツが無い場合は処理を終了する。
【０１４６】
次に、図９で説明したステップＳ９０２〜ステップＳ９０７の手順を実施する。この場合、図７の構成要素を図１０の構成要素に置き換えて解釈する。
【０１４７】
以上のようにして、コピーネバーコンテンツのコンテンツ及びコンテンツライセンス情報を移動可能な記録媒体１０３から記録手段４０７へ移す。
【０１４８】
上述の図１０〜図１２の実施例では、コンテンツのコンテンツライセンス送受がなされる条件として、車載情報取得手段４１０で取得した車両状況４１２がＡＣＣ−ＯＮされたこと若しくはＡＣＣ−ＯＦＦされたことを契機としている。しかし、上記条件に加えて、自車位置情報４１１が、予め登録してあった地点に自車両が位置すると判定したことを条件としても良い。
【０１４９】
これは、ＡＣＣ−ＯＮ／ＯＦＦという条件だけでは、記録手段４０７と記録媒体１０３間でコンテンツのムーブが頻繁に発生する可能性があるからである。例えば、記録媒体１０３を車外に持ち出す機会を考慮すると、例えば、コンビニエンスストアでの買い物の際に発生するＡＣＣ−ＯＦＦでコンテンツを記録媒体１０３にムーブする必要性は低く、例えば、車載装置に予め登録した自宅駐車場におけるＡＣＣ−ＯＮ／ＯＦＦであれば記録媒体の移動可能性が比較的高いからである。
【０１５０】
上述の図１０〜図１２の実施例に拠れば、車載装置において、リムーバブルな記録媒体等、モバイル利用メモリ媒体へのコンテンツの出入移動を自動的に実施することが可能となり、ユーザ利用時にコンテンツ移動によって待機させる機会が減少し、利便性が向上する。
【０１５１】
以上述べたように、本発明の一実施形態では、本発明では、無線通信によって外部ネットワークと接続可能な通信手段を有し、制御手段は、通信手段が受信した、少なくとも記録媒体ＩＤとコンテンツＩＤから成るコンテンツライセンス情報から、コンテンツ管理手段に保持された利用不可コンテンツのコンテンツライセンス情報と一致するコンテンンツを判別し、記録手段に保持された当該コンテンツを利用可能とする。
【０１５２】
また、本発明の一実施形態では、情報端末装置の電源を管理する電源管理手段を有し、制御手段は電源管理手段が判定する電源切断処理の開始を契機に、記録手段に保持されたコンテンツを記録媒体に移動し、その際に記録手段に当該コンテンツを利用不可コンテンツとして保持し、少なくとも当該コンテンツのＩＤと記録媒体のＩＤとをコンテンツ管理手段にてコンテンツライセンス情報として保持し、更に、電源管理手段が判定する電源入力処理の開始を契機に、記録媒体に保持されたコンテンツを記録手段に移動し、その際に記録媒体にて当該コンテンツを利用不可コンテンツとして保持し、当該コンテンツのＩＤと記録媒体のＩＤとがコンテンツ管理手段にて保持された当該コンテンツのコンテンツライセンス情報と一致する場合には、記録媒体に保持された利用不可コンテンツを利用可能とし、一致しなかった場合には当該コンテンツを記録媒体にコピーする。
【０１５３】
また、本発明の一実施形態では、コンテンツの移動時に当該コンテンツに関する情報を記録し管理するコンテンツ管理手段と、情報端末装置の各手段を制御する制御手段と、無線通信によって外部ネットワークと接続可能な通信手段とを有し、更に制御手段は、少なくとも記録媒体ＩＤと、コンテンツＩＤから成るコンテンツライセンス情報を、記録媒体に保持された当該コンテンツと対応付けられた移動元情報端末装置に通信手段を介して送信し、その際にコンテンツを利用不可コンテンツとして記録媒体に保持し、コンテンツ管理手段にて利用不可コンテンツに関するコンテンツライセンス情報を保持し、さらに、コンテンツ管理手段に保持された利用不可コンテンツのコンテンツＩＤと対応付けられ記録媒体に保持された移動元情報端末装置に対して、通信手段を介してコンテンツライセンス情報を請求し、移動元情報端末装置よりコンテンツライセンス情報を受信した場合は、記録手段に保持されたコンテンツを利用可能とする。
【０１５４】
また、本発明の一実施形態では、情報端末装置の電源を管理する電源管理手段を有し、制御手段は電源管理手段が判定する電源切断処理の開始を契機に、少なくとも記録媒体ＩＤとコンテンツＩＤから成るコンテンツライセンス情報を、記録媒体に保持された当該コンテンツと対応付けられた通信手段を介して送信し、その際にコンテンツを利用不可コンテンツとして記録媒体に保持し、コンテンツ管理手段にて利用不可コンテンツに関するコンテンツライセンス情報を保持し、更に、電源管理手段が判定する電源入力処理の開始を契機に、コンテンツ管理手段に保持された利用不可コンテンツのコンテンツＩＤと対応付けられ記録媒体に保持された移動元情報端末装置に対して、通信手段を介してコンテンツライセンス情報を請求し、移動元情報端末装置より当該コンテンツライセンス情報を受信した場合は、記録手段に保持された当該コンテンツを利用可能とする。
【０１５５】
また、本発明の一実施形態では、コンテンツの移動時に当該コンテンツに関する情報を記録し管理するコンテンツ管理手段と、各手段を制御する制御手段と、無線通信によって外部ネットワークと接続可能な通信手段と、移動体（自車両）に関する情報として移動体の電源状況と自車位置情報を取得する車両情報取得手段とを有し、更に制御手段は、車両情報取得手段が移動体の発動機と連動して電力供給される電源線からの電力供給停止と、自車位置が予め定められた特定の地点であることを判定したことを契機に、少なくとも記録媒体ＩＤとコンテンツＩＤから成るコンテンツライセンス情報を、記録媒体に保持された当該コンテンツと対応付けられた移動元情報端末装置に通信手段を介して送信し、その際に当該コンテンツを利用不可コンテンツとして記録媒体に保持し、コンテンツ管理手段にて当該利用不可コンテンツに関するコンテンツライセンス情報を保持し、更に、車両情報取得手段が電源線からの電力供給開始と自車（移動体）位置が予め定められた特定の地点であることを判定したことを契機に、コンテンツ管理手段に保持された利用不可コンテンツのコンテンツＩＤに対応付けられた移動元情報端末装置に対して、通信手段を介してコンテンツライセンス情報を請求し、移動元情報端末装置より当該コンテンツライセンス情報を受信した場合は、記録手段に保持された当該コンテンツを利用可能とする。
【０１５６】
上述の図１〜図１２の実施例では、デジタルデータのコンテンツを、地上波デジタル放送を受信した放送番組の映像コンテンツ（音声を含む）で説明した。しかし、本発明は、この実施例に関わるコンテンツに限らず、著作権法に関わるコンテンツすべてを含むことは言うまでもない。例えば、小説、小論文、その他の言語の著作物（絵本、図表、挿絵、イラスト、等を含む）、音楽の著作物、音楽の著作物（映像を含む）、舞踊又は無言劇の著作物、絵画、版画、彫刻その他の美術の著作物、及び、映画、写真、等の著作物のデジタルデータ、並びに、ゲームソフト、等のプログラムの著作物が該当する。
【０１５７】
本発明は、著作物であるデジタルデータのコンテンツの特に映像情報に関わり、画質の劣化を伴うコンテンツのコピーに対して有効である。
【０１５８】
また、上述の図１〜図１２の実施例では、通信手段を備えた移動体に搭載された車載装置若しくは、その車載装置に脱着可能なリムーバブルな記録媒体と、例えば自宅等の固定の場所情報端末装置との間での、コピーネバーコンテンツの授受であった。しかし、本発明は、上述の実施例に限定されるものではない。
【０１５９】
例えば、移動体に搭載される車載装置ではなく、車載装置の替わりに携帯可能なポータブルタイプの音声動画再生装置であっても良い。このような音声動画再生装置は、車載装置を搭載した移動体に設けられた上述の実施例中の通信手段に接続して、上述の上述の実施例と同様に用いても良い。
【０１６０】
また、例えば、移動体である必要は無く、例えば、自宅と別荘との間でコピーネバーコンテンツの授受を行う場合にも有効である。
【０１６１】
また例えば、保養地や観光地とタイアップして、コピーネバーコンテンツの授受が可能な通信手段を備える、若しくはコピーネバーコンテンツの授受が可能な通信手段及び音声動画再生装置を備える保養地や観光地、又は保養地や観光地の共同施設若しくは宿泊設備と、自宅の情報端末装置との間であっても適用可能である。
【図面の簡単な説明】
【０１６２】
【図１】本発明の一実施例のムーブバックシステムの概念図。
【図２】本発明の記憶情報テーブルの一実施例を示す図。
【図３】本発明の動作の一実施例を説明するためのフローチャート。
【図４】本発明のシステム構成の一実施例を説明するためのブロック図。
【図５】本発明のシステムの動作シーケンスの一実施例を説明するためのフローチャート。
【図６】本発明のシステムの動作シーケンスの一実施例を説明するためのフローチャート。
【図７】本発明のシステム構成の一実施例を説明するためのブロック図。
【図８】本発明の動作の一実施例を説明するためのフローチャート。
【図９】本発明の動作の一実施例を説明するためのフローチャート。
【図１０】本発明のシステム構成の一実施例を説明するためのブロック図。
【図１１】本発明の動作の一実施例を説明するためのフローチャート。
【図１２】本発明の動作の一実施例を説明するためのフローチャート。
【符号の説明】
【０１６３】
１０１：情報端末装置、  １０２：移動元記録媒体、  １０３：リムーバブルな記録媒体、  １０４：移動体、  １０５：車載装置、  １０６：コンテンツ、  １０７：通信手段、  １０８：コンテンツライセンス情報、  １０９：ネットワーク、  ２００：記憶情報テーブル、  ２０１：コンテンツ名、  ２０２：コンテンツＩＤ、  ２０３：コピーコントロール情報、  ２０４：電子メールアドレス、  ２０５：移動元コンテンツ暗号鍵、  ４０１：通信手段、  ４０２：記録手段、  ４０３：コンテンツ入出力手段、  ４０４：コンテンツ管理手段、  ４０５：制御手段、  ４０６：通信手段、  ４０７：記録手段、  ４０８：コンテンツ入出力手段、  ４０９：コンテンツ管理手段、  ４１０：車両情報取得手段、  ４１１：自車位置情報、  ４１２：車両状況、  ４１３：制御手段、  ７０１：情報端末装置、  ７０２：電源管理手段、  ７０３：制御手段、  １００１：車載装置、  １００２：制御手段。
【図１】
2009015682.tif 000003
【図２】
2009015682.tif 000004
【図３】
2009015682.tif 000005
【図４】
2009015682.tif 000006
【図５】
2009015682.tif 000007
【図６】
2009015682.tif 000008
【図７】
2009015682.tif 000009
【図８】
2009015682.tif 000010
【図９】
2009015682.tif 000011
【図１０】
2009015682.tif 000012
【図１１】
2009015682.tif 000013
【図１２】
2009015682.tif 000014
【手続補正書】
【提出日】平成19年11月21日(2007.11.21)
【手続補正１】
【補正対象書類名】図面
【補正対象項目名】全図
【補正方法】変更
【補正の内容】
【図１】
2009015682.tif 000015
【図２】
2009015682.tif 000016
【図３】
2009015682.tif 000017
【図４】
2009015682.tif 000018
【図５】
2009015682.tif 000019
【図６】
2009015682.tif 000020
【図７】
2009015682.tif 000021
【図８】
2009015682.tif 000022
【図９】
2009015682.tif 000023
【図１０】
2009015682.tif 000024
【図１１】
2009015682.tif 000025
【図１２】
2009015682.tif 000026
【手続補正書】
【提出日】平成20年1月23日(2008.1.23)
【手続補正１】
【補正対象書類名】図面
【補正対象項目名】図２
【補正方法】変更
【補正の内容】
【図２】
2009015682.tif 000027
【手続補正２】
【補正対象書類名】図面
【補正対象項目名】図５
【補正方法】変更
【補正の内容】
【図５】
2009015682.tif 000028
【手続補正３】
【補正対象書類名】図面
【補正対象項目名】図６
【補正方法】変更
【補正の内容】
【図６】
2009015682.tif 000029
【手続補正４】
【補正対象書類名】図面
【補正対象項目名】図９
【補正方法】変更
【補正の内容】
【図９】
2009015682.tif 000030
【手続補正５】
【補正対象書類名】図面
【補正対象項目名】図１１
【補正方法】変更
【補正の内容】
【図１１】
2009015682.tif 000031
【手続補正６】
【補正対象書類名】図面
【補正対象項目名】図１２
【補正方法】変更
【補正の内容】
【図１２】
2009015682.tif 000032